(57)【特許請求の範囲】
【請求項１】
上流位置の開放端末を液体中の堆積物より上に突出させ、堆積物を吸引する開口部を下側に形成した円形水路と、この円形水路に連接されて堆積物を流送する閉水路を備えた堆積物の吸引流送設備であって、
円形水路において隣接する開口部間の水路軸線に沿った間隔（Ｌ１）が、次式（１）
【数１】
0004675061.tif 000004
（Ｌ１＝開口部間の間隔、すなわち開口部間の閉断面区間の長さ
Ｐｈｉ＝堆積土砂の水中安息角
Ｄ＝円形水路の内径
Ｂ＝開口部の幅）
で与えられる円形水路の内径（Ｄ）との比率以下とされ、
円形水路の開口部の水路軸線に直交する幅をＢ、円形水路の内径をＤとするとき、開口幅比：Ｂ／Ｄが０．３〜０．７の範囲とされ、
円形水路およびこれに連設された閉水路の敷設勾配が堆積物の水中安息角（Ｐｈｉ）よりも小さい
ことを特徴とする堆積物の吸引流送設備。
【発明の詳細な説明】
【技術分野】
【０００１】
この出願の発明は、堆積物の吸引流送設備に関するものである。さらに詳しくは、この出願の発明は、大型タンクや、浄水場及び下水処理場、溜池、堆砂池、貯水池、ダム湖、湖、海水トンネル、河川送水路など、流体を貯留、送水する設備に溜まった堆積物、集積物、堆砂などの沈殿物を吸引・浚渫・流送するための浚渫設備として有用な、静水圧を利用して又は吸引装置による強制吸引作用によって水中堆積物を吸引流送する、開口堆積物の新しい吸引流送設備に関するものである。
【背景技術】
【０００２】
液体を貯蔵する設備などでは、沈殿物、堆積物の排出作業が施設維持の効率上や、運用上欠かせないものとなっている。特に近年、ダムの堆砂問題は深刻であり、ダムの利用容量の維持や、利用寿命を延ばす必要からも、堆砂の効率的な除去処理が強く望まれてきた。
【０００３】
このような従来のダムの堆砂問題の解決策として、（ａ）フラッシング排砂方法（時期を選んで貯留された堆砂をフラッシングして放流する）、（ｂ）水位低下露出堆砂流下式排砂方法（一時的にダムの水位を部分的に低下させて堆砂を露出した状態をつくり、露出した堆砂上を水が流れることにより、中流域の堆砂をダム近傍の死水域へと移動させ、又はダム湖外に排出する）、（ｃ）バイパストンネル排砂方法（ダム上流部に貯砂ダムを造成し、土砂混じりの水を直接下流に放流するためのバイパストンネルにより排砂する）、（ｄ）掘削式排砂方法（浚渫船による掘削や、水位低下で露出した堆砂を直接掘削して排砂する）が知られている。
【０００４】
しかし、従来のフラッシング排砂方法（ａ）では、実施時期が制限される、実施に当って大量の消費水を必要とする、フラッシング期間中、都市用水、農業用水、発電用水などの本来的生活用水の供給に影響を与えるので問題があった。
【０００５】
一方、水位低下露出堆砂流下式排砂方法（ｂ）では、一時的にダムの水位を部分的に低下させる場合に実施時期に制限を受け時期が選べない、実施に当って大量の水を消費する、本来の水利用で使用する水質を悪化させるという問題がある。
【０００６】
バイパストンネル排砂方法（ｃ）では、排出できる範囲は、排出口近傍に限られ、また、初期設備の設備投資額が非常に大きくなるなど問題があった。
【０００７】
さらには、掘削式排砂方法（ｄ）では、ダム湖への浚渫用の大型機械の分解搬送に加え、浚渫後の土砂輸送、水切り揚土は必要になり、処理経費が嵩む、濁水が発生するなどの問題があった。
【０００８】
このため、大型機械のダム湖への分解搬送を行うことなく、広範囲の堆砂の掘削排出が可能であって、堆砂の流送にヘテロジーニアス流を実現し、管材の磨耗の低減に加え、何ら制御装置を用いることなく混泥率を効率的に高めた排砂が可能であり、しかも、貯水池の濁流発生を抑えるとともに、低コスト化を図ることのできる、新しい技術手段として、管路内に低圧又は負圧を発生させて、沈殿物等を吸引し流送する装置が、この出願の発明者らにより提案されている（たとえば非特許文献１を参照）。
【非特許文献１】「大ダム」（社団法人  日本大ダム会議）    Ｎｏ．１８３，２００３−４，Ｐ．８５−８９
【発明の開示】
【発明が解決しようとする課題】
【０００９】
この出願の発明は、以上のとおりの背景から、上記の発明者らの新しい提案について、閉水路内に吸引する堆積土砂の送流をさらに一層効率的なものとし、また、流送水路が土砂、ゴミ類を吸引しても閉塞することがないようにし、水理的に有利な構造をもつものとして、さらには水路の強度を大きなものとすることもできる、堆積物の新しい吸引流送設備を提供することを課題としている。
【課題を解決するための手段】
【００１０】
この出願は、上記の課題を解決するものとして、上流位置の開放端末を液体中の堆積物より上に突出させ、堆積物を吸引する開口部を下側に形成した円形水路と、この円形水路に連接されて堆積物を流送する閉水路を備えた堆積物の吸引流送設備であって、円形水路において隣接する開口部間の水路軸線に沿った間隔（Ｌ１）が、次式（１）
【数１】
0004675061.tif 000002
（Ｌ１＝開口部間の間隔、すなわち開口部間の閉断面区間の長さ
Ｐｈｉ＝堆積土砂の水中安息角
Ｄ＝円形水路の内径
Ｂ＝開口部の幅）
で与えられる円形水路の内径（Ｄ）との比率以下とされ、円形水路の開口部の水路軸線に直交する幅をＢ、円形水路の内径をＤとするとき、開口幅比：Ｂ／Ｄが０．３〜０．７の範囲とされ、円形水路およびこれに連設された閉水路の敷設勾配が堆積物の水中安息角（Ｐｈｉ）よりも小さいことを特徴とする堆積物の吸引流送設備を提供する。
【発明の効果】
【００１７】
以上のとおりの開口部を有する円形水路と閉水路について特有の要件をもって設置された吸引流送設備に係わるこの出願の発明によって、従来の問題点を解消し、閉水路内に吸引する堆積土砂の送流をさらに一層効率的なものとし、また、流送水路が土砂、ゴミ類を吸引しても閉塞することがないようにし、水理的に有利な構造をもつものとし、さらには水路の強度を大きなものとすることもできる、堆積物の新しい吸引流送設備が提供される。
【００１８】
また、閉水路に取水管を接続した吸引流送設備の発明においては、以上の効果に加えて、取水管からの取水量を調整することによって、１）円形水路内の流速を調整し、同時に円形水路内への吸引圧、吸引土砂量を調整でき、２）閉水路から排出される堆積物の濃度を調整でき、３）この吸引流送設備の運転終了時に、即ち閉水路内の流れの停止時に、堆積土砂の濃度を薄めて、閉水路内の土砂の沈殿量を小さくして、閉塞を防ぐことができ、４）この吸引流送設備の運転終了時に、閉水路内の堆積土砂の濃度を薄めて、バルブを閉じる時の細かい土砂成分によるバルブの損傷を防ぐことができる。
【発明を実施するための最良の形態】
【００１９】
この出願の発明は、上記のとおりの特徴をもつものであるが、以下にその実施の形態について説明する。
【００２０】
まず、この出願の発明の設備では、この出願の発明者らがすでに提案している吸引流送のための設備を前提としている。すなわち、上流位置の開放端末を液体中の堆積物より上に突出させ、下側に開口部を形成してこの開口部より堆積物を吸引して流送するようにした円形水路と、この円形水路に連接されて堆積物を流送する閉水路を備えた堆積物の吸引流送設備である。
【００２１】
図１は、その構成の一例を示したものである。
【００２２】
図１において、地盤（４）に建設されたダム（３）に水（７）が貯蔵され、ダム底（５）の堆積物（６ａ）上には、開口部（１ａ）を有する円形水路（１）が敷設されている。これは後続の堆積物（６ｂ）に囲まれていてもよい。そして、開口部の存在しない閉水路（１ｂ）が、円形水路（１）に連設されている。また、閉水路（１ｂ）の先端箇所にバルブ（２）が設置され、堆積土砂の吸流送設備が構成されている。水中の堆積物を吸引流送するための開口部（１ａ）を有する円形水路（１）は、上流位置にある開放端（１ｃ）を液体中の堆積物（６ｂ）より突出させ、かつ、液体中の堆積物（６ａ）に面する下側に開口部（１ａ）が開設されている。
【００２３】
この設備においては、静水圧によって、水中の堆積物（６ａ）が開口部（１ａ）より円形水路（１）そして閉水路（１ｂ）内に吸引され流送され開放終端（１ｄ）より放出される。
【００２４】
図２は、前記の円形水路（１）の一例を示したものであって、この図２は、開口部（１ａ）側から見た状態を例示している。
【００２５】
このような吸引流送設備においては、水中の堆積物（６ｂ）を吸引排出するために、たとえばまず閉水路（１ｂ）先端部のバルブ（２）を開き、水路内を水が流れることで、閉水路（１ｂ）内が低圧になることから、円形水路（１）の開口部（１ａ）から、その周囲の堆砂（６ｂ）を水（７）とともに吸引する。
【００２６】
その際、開放端（１ｃ）を水中に位置させているので、開口部（１ａ）からの堆砂（６ｂ）の吸引作用で固形分濃度が濃くなるに伴って管路抵抗が増大し吸引流送の速度が低下する場合でも、開放端（１ｃ）から水（７）が流入し、この結果希釈が起こるので、管路抵抗が減少し、吸引作用は間断なく継続する。これによって、何ら他の制御装置を付設することなく、開口部円形水路（１）および後続の閉水路（２）の全長に亘り、吸引流送力が自動調節される。
【００２７】
以上のような吸引流送は、静水圧を利用したものとして特徴がある。
【００２８】
そして以上の円形水路（１）や閉水路（１ｂ）としてはパイプ構造体が用いられてよい。また、図１の例においては、円形水路（１）に連設される閉水路（１ｂ）は、円形水路（１）よりも低い高さ位置にあるものとして例示されているが、閉水路（１ｂ）は、円形水路（１）よりも高い位置にあってもよい。この場合にも、初期操作として、前記と同様に閉水路（１ｂ）内に負圧を生じさせればよい。
【００２９】
たとえば以上例示したような、堆積物の吸引流送設備において、この出願の発明では、まず第１の特徴としては、図３に例示した円形水路（１）において、円形水路（１）の開口部（１ａ）の水路軸線（Ａ）に直交する幅をＢ、円形水路の水路軸線に直交する内径をＤとするとき、開口幅比：Ｂ／Ｄが０．３〜０．７の範囲とする。
【００３０】
このことは、堆積物の吸引流送をより円滑に、効率的にするための条件として好適である。図４は、実施例として、この開口幅比Ｂ／Ｄの大きさと堆積物の円形水路（１）から閉水路（１ｂ）への依頼濃度との関係を示したものである。
【００３１】
Ｂ／Ｄが０．１未満の場合、つまり、円形水路（１）の内径Ｄに比べて開口部（１ａ）の幅Ｂがあまりにも小さい場合には、堆積物の吸引力は生じにくく、実質的に、堆積物濃度は低くなって、その吸引流送は生じ難い。一方、Ｂ／Ｄが０．７を超えても堆積物濃度は上昇せず、しかも円形水路（１）が堆積物に埋まってしまうという不具合が生じやすい。また、Ｂ／Ｄが０．７を超えると、円形水路（１）の強度が低下することから、円形水路（１）がつぶれる危険性が大きくなる。
【００３２】
そして、この出願の発明の第２の特徴は、前記の円形水路（１）の敷設勾配が堆積物の水中安息角（Ｐｈｉ）よりも小さくすることである。水中安息角（Ｐｈｉ）は、その定義や算出方法がよく知られたものであって、堆積物の種類、状況に応じて求められるものである。円形水路（１）およびこれに連設された閉水路（１ｂ）の敷設勾配が堆積物の水中安息角（Ｐｈｉ）よりも大きい場合には、堆積物の吸引流送が困難になるのである。
【００３４】
さらに、この出願の発明の第３の特徴は、図３に示した、円形水路（１）における隣接開口部（１ａ）間の水路軸線（Ａ）に沿った間隔（Ｌ１）が、前記の式（１）で与えられる円形水路の内径（Ｄ）との比率以下となるようにすることである。この式（１）におけるＬ１、Ｄ等のファクターは次のものである。
【００３５】
Ｌ１＝開口部間の間隔、すなわち開口部間の閉断面区間の長さ
Ｐｈｉ＝堆積土砂の水中安息角
Ｄ＝円形水路の内径
Ｂ＝開口部の幅
円形水路（１）を構成するパイプに沿って、開口部（１ａ）からの土砂等の堆積物の吸引が下流に進んで行くが、開口部（１ａ）の相互の間隔：Ｌ１が長くなると、吸引の連続性が止まることになる。すなわち、ある開口部からの堆積物の吸引が終わると、次の下流部の開口部からの堆積物の吸引が連続しなくなる。このような連続性がなくなる状態は、吸引流送の流れが成立しなくなることを意味していることから、開口部の間隔：Ｌ１については、連続性がなくなる状態の長さよりも短くすることが必要になる。
【００３６】
前記の式（１）は、実際に、連続性のなくなる状態についての実験を行うことで導かれたものである。表１は、内径：Ｄについて、これを、５０ｍｍ、１００ｍｍ、３００ｍｍ、７００ｍｍとした場合の、実験に際しての条件を示したものである。また、表１では、水中安息角（Ｐｈｉ）について、ダム湖等の堆積物として、丸みのある堆砂が５〜１０（ｄｅｇ）であることを、より角のある堆砂、砂利が２０〜３０（ｄｅｇ）であることを示している。
【００３７】
【表１】
0004675061.tif 000003
【００３８】
図５および図６は、内径：Ｄ＝１００ｍｍ、Ｄ＝７００ｍｍの場合のｔａｎ（Ｐｈｉ）とＬ１／Ｄの比との関係をＢ／Ｄ比の異なる場合について例示したものである。
【００３９】
式（１）そして、図５および図６の例示に従っての確認を実験的に行ったところ、Ｌ１／Ｄが式（１）より得られた値を超えて大きい場合には堆積物の吸引流送が困難であって、この値よりも小さくすることにより吸引流送が円滑に効果的に可能であることが判明した。
【００４０】
そして、この出願の発明においては以上のような特徴のある円形水路（１）について、開口部（１ａ）を、水路軸線に垂直の直下位置ではなく、側方に配置することや水路軸線に沿って左右側方等に千鳥配置することも考慮される。たとえば図７はこのような千鳥配置の一例を示したものである。
【００４１】
さらに、この出願の発明においては、円形水路（１）の閉断面の下側に重しを兼ねた枕木を配設してもよい。この枕木のある形態は、円形水路（１）の設置時、および沈設時に、開口部（１ａ）の位置を固定するための手段として有効である。
【００４２】
たとえば図８は、円形水路（１）の閉断面部（１１）の外周の一部に金属製等の帯体（１２）を配置し、下側の枕木（１３）にこれを固定した例を示している。図９は、閉断面部（１１）の全周に分画した帯体（１２）を配置し、下側の枕木（１３）に、支持体（１４）をもって固定した例を、また、図１０は、前記の帯体（１２）に代えて、ブロック体（１５）を用いた例を示している。
【００４３】
いずれの場合も、枕木（１３）を金属やコンクリート等の重量のあるものとすることによって、開口部（１ａ）の配置を所定位置で安定化することができる。
【００４４】
そして、以上のような液体中の堆積物の流送設備においては、この出願の発明によって、前記の閉水路に接続される取水管を備えることが有効でもある。
【００４５】
図１１は、このような取水管（１６）を設置した例を示している。取水管（１６）は、閉水路（１ｂ）に接続されており、その上流端はダム（３）内の水面以下の位置にある。この上流端は、たとえばバルブ（１７）等の開閉手段によって開閉自在とされており、取水流量の調整が可能とされている。
【００４６】
そして、この図１１の例では、開口部（１ａ）を有する円形水路（１）の終端の閉水路（１ｂ）の開始点近傍と、取水管（１６）の接続位置の上流側と下流側に、水圧、流量そして液体密度の測定器（１８）が配置されている。もちろんこの配置に限定されることはない。
【００４７】
この設備においては、測定器（１８）により閉水路中の水圧、流速、濃度を測定し、これらが所定の範囲となるように、バルブ（１７）を開閉して取水するようにしている。バルブ（１７）を開くと、取水管（１６）からの取水が閉水路（１ｂ）に流入し、堆積物を含む流送液体の濃度をはじめ、その流量調整が可能とされる。
【００４８】
堆積物を含む流送液体のダム（３）外への排出をとめる時は、まず取水管バルブ（１７）を全開とし、取水管（１６）接合部下流の閉水路（１ｂ）内の土砂濃度を薄くする。次に閉水路バルブ（２）を全閉とする。最後に、取水管バルブ（１７）を全閉とする。
【００４９】
上流開放端（１ｃ）を液体（７）中の堆積物（６ｂ）より上に突き出し、且つ下側に開口部（１ａ）を有し堆積物を吸引流送する円形水路（１）と、その円形水路の下流端に続く閉水路（１ｂ）とからなる液体中の堆積物を流送する設備においても、バルブ（２）部での閉塞やバルブ（２）の損傷無しにこのバルブ（２）による水路内の流量、水圧を調整することは必ずしも容易でない場合がある。このような場合、上記のように取水管（１６）のバルブ（１７）を開くと、取水管（１６）からの水が閉水路（１ｂ）に流れ込むことで、取水管（１６）との接合部上流側の円形水路（１）の流量が減少する。このように取水管（１６）のバルブ（２）を調節することで、上流円形水路（１）内の流量が調節できるようになる。流量の調節は、上流円形水路（１）内の流速の調節と同じであり、ひいては、円形水路（１）の開口部（１ａ）の土砂吸引圧力も調節できることになる。土砂吸引圧力の大小と円形水路内の土砂濃度は連動していることから、吸引土砂量をも調節できることになる。また、この時に円形水路（１）や閉水路（１ｂ）に設けた圧力計、流量計、密度計という測定器（１８）を設置しておけば、これらの計測値を参照しながら、バルブ（１７）の開閉を調節でき、任意のスラリー状態での流送排出が可能となる。
【００５０】
また、従来より、一般的にダムの貯水池、ため池、沈砂池から堆積土砂を河川流に乗せて下流に排出することは環境的に近年ほとんどなされていない。今後のダム湖での堆積土砂の増加、下流や海岸での流下土砂の不足から発生する侵食問題の解決のために、今後は堆積土砂を下流に排出する必要があるが、濃度の高い状態での下流排出は下流に環境上の問題を発生させる。
【００５１】
これに対して、上記のような取水管（１６）があれば、バルブ（１７）を開けることで加水が可能となり、排出濃度を下げ、排出先の下流河川で環境的に許容される濃度を容易に実現することができる。バルブの調節によってこの排出土砂濃度は調節可能である。
【００５２】
さらにまた、前記のとおりのこの出願の発明の設備においても、水路に鉛直を含む急傾斜部がある場合、バルブ閉鎖などにより、水路内を流れているスラリーの流れを停止すると、水路内のスラリーに含まれる土砂分は水路底に沈殿する。この時、急傾斜部があればその最も低い水路部に沈殿物が集中し水路断面を閉塞する場合が想定される。
【００５３】
このような想定に対しても、バルブなどによる流れの停止前に、取水管（１６）のバルブ（１７）を開き、水路内の土砂濃度を十分薄くしておけば、スラリー流の停止による最も低い水路部分への土砂分の集中沈殿による閉塞を防止できる。
【００５４】
さらにまた、流れる流体は粘土から巨礫までの幅広い土砂を含み、木の幹、枝、葉、ビニール、プラスチックなどの紐状、膜状のものを含むゴミ芥を含む。
【００５５】
このため、堆積物を流送する設備に使われるバルブは全閉、全開での使用を前提としても、たとえばバルブ（２）の開閉時のトラブル、損傷は発生し易い。このような懸念に対しても、バルブ（２）などによる流れの停止前に、取水管（１６）のバルブ（１７）を開き取水管（１６）からのきれいな水でバルブ（２）部分を含む水路部を清掃し、土砂やごみ芥をほとんど含まない状態にすることで、バルブ（２）開閉時のトラブル、損傷を回避することができる。
【００５６】
以上のように、取水管（１６）、バルブ（１７）等の設置によって、堆積物の性状、堆積物の厚さ、堆積物が円形水路を覆っている長さ、利用できる水頭差、排出先の環境上の許容濁水濃度などの条件に合わせて、排出状態をコントロールできるようになる。
【００５７】
もちろん、この出願の発明においては以上の例示に限定されることなしに、その細部について様々な形態が可能であることは言うまでもない。
【００５８】
たとえば以上の例では排出に池内外の水頭差を利用しているが、必要であれば、排出するために、通常使用されるポンプ、インダクションポンプなども利用される。
【００５９】
また、液体としては水に限らず、濁水、その他液体であれば、この出願の発明が適用される。
【図面の簡単な説明】
【００６０】
【図１】堆積土砂吸引排送設備の敷設状況を示す概要図である。
【図２】図１の敷設された開口部を有する円形水路を例示した拡大概要図である。
【図３】円形水路とその開口部の寸法関係について示した要部概要図である。
【図４】開口幅比：Ｂ／Ｄと体積濃度との関係を示した図である。
【図５】式（１）について、Ｄ＝１００ｍｍの場合の、ｔａｎ（Ｐｈｉ）とＬ１／Ｄの値との関係を示した図である。
【図６】式（１）について、Ｄ＝７００ｍｍの場合の、ｔａｎ（Ｐｈｉ）とＬ１／Ｄとの関係を示した図である。
【図７】開口部の千鳥状の配置例を示した概要図である。
【図８】枕木の配置例を示した概要図である。
【図９】枕木の別の配置例を示した概要図である。
【図１０】枕木のさらに別の配置例を示した概要図である。
【図１１】取水管を有する設備を例示した概要図である。
【符号の説明】
【００６１】
１  円形水路
１ａ  開口部
１ｂ  閉水路
１ｃ  開放端
１ｄ  開放終端
２  閉水路バルブ
３  ダム
４  地盤
５  ダム底
６ａ、６ｂ  堆積物
７  水
８  ポンプ
９  注水管
１０  ボルト
１１  閉断面部
１２  帯体
１３  枕木
１４  支持体
１５  ブロック体
１６  取水管
１７  取水管バルブ
１８  測定器
【図１】
0004675061.tif 000005
【図２】
0004675061.tif 000006
【図３】
0004675061.tif 000007
【図４】
0004675061.tif 000008
【図５】
0004675061.tif 000009
【図６】
0004675061.tif 000010
【図７】
0004675061.tif 000011
【図８】
0004675061.tif 000012
【図９】
0004675061.tif 000013
【図１０】
0004675061.tif 000014
【図１１】
0004675061.tif 000015